(57)【特許請求の範囲】
【請求項１】
絶縁ハウジング内に複数の第１コンタクトを幅方向に所定間隔を置いて対向させるとともに長手方向に２列に並べて保持してなる第１コネクタ半体と、絶縁ハウジング内に複数の第２コンタクトを幅方向に所定間隔を置いて対向させるとともに長手方向に２列に並べて保持してなる第２コネクタ半体とからなり、前記第１コネクタ半体と前記第２コネクタ半体とを嵌合させて前記第１コンタクトを対応する前記第２コンタクトに接続させるように構成されたコネクタであって、
前記第１コネクタ半体は２列に並んだ前記第１コンタクトの列間に長手方向に並んで位置するとともに所定ピッチ間隔で離間して配設された複数の第３コンタクトを有し、前記第２コネクタ半体は２列に並んだ前記第２コンタクトの列間に長手方向に並んで位置するとともに前記所定ピッチ間隔と同一ピッチ間隔で離間して配設された複数の第４コンタクトを有し、前記第３および前記第４コンタクトはともに長手方向に延びる平板状のコンタクト部を有して構成され、
前記第１コネクタ半体と前記第２コネクタ半体とを嵌合させたときに、前記第３コンタクトに対して前記第４コンタクトが長手方向に半ピッチずれて位置し、且つ前記第３コンタクトのコンタクト部の長手方向両側部がそれぞれ隣に位置する前記第４コンタクトのコンタクト部の長手方向側部と接触し、前記第３および第４コンタクトが千鳥状に長手方向に連続して接続されて長手方向に延びる一枚のプレート状のコンタクト連続体として機能するように構成されていることを特徴とするコネクタ。
【請求項２】
前記第３および第４コンタクトがグラウンド用コンタクトとして用いられ、前記第３および第４コンタクトの少なくとも一つがグラウンド端子に接続されるリード部を有していることを特徴とする請求項１に記載のコネクタ。
【請求項３】
前記第３もしくは第４コンクタトの少なくとも一つが取り外され、この取り外された部分により分割された少なくとも二つの連続して繋がるコンタクト連続体が形成され、一方の前記コンタクト連続体がグラウンド用として用いられ、他方の前記コンタクト連続体が電源用として用いられることを特徴とする請求項１もしくは２に記載のコネクタ。
【請求項４】
前記第１および第２コンタクトにおける相手コンタクトとの接続部の突出高さが、前記グラウンド用のコンタクト連続体における相手コンタクトとの接続部の突出高さより高く、
前記第グラウンド用のコンタクト連続体における相手コンタクトとの接続部の突出高さが、前記電源用のコンタクト連続体における相手コンタクトとの接続部の突出高さより高いことを特徴とする請求項３に記載のコネクタ。
【発明の詳細な説明】
【０００１】
【産業上の利用分野】
本発明は、プラグコネクタおよびレセプタクルコネクタのような互いに嵌合する二つのコネクタ半体から構成されるコネクタに関し、さらに詳しくは、各コネクタ半体には複数のコンタクトが２列に並んで配設されるとともにこの列間にグラウンド接続（接地）されてシールドの役割等を果たすグラウンドコンタクト等が配設されてなるコネクタに関する。
【０００２】
【従来の技術】
このようなコネクタとして、例えば、米国特許第４，７６２，５００号に開示のものがある。このコネクタは、それぞれ２列に並んでコンタクトを保持するとともに互いに嵌合可能なプラグコネクタおよびレセプタクルコネクタから構成され、嵌合した状態で対応するコンタクト同士が接触して電気接続されるようになっている。さらに、プラグコネクタおよびレセプタクルコネクタにおいてそれぞれ、２列に並んだコンタクトの列間に複数の板状コンタクトが列方向に延びて配設されており、プラグコネクタとレセプタクルコネクタとが嵌合したときに各板状コンタクトがそれぞれ相手コネクタの対応する板状コンタクトと接続するようになっている。
なお、このコネクタにおいては、このように互いに接続される板状コンタクトがそれぞれグラウンド端子に接続されて接地されるようになっており、板状コンタクトが各コンタクト間のシールドを行い、各コンタクト間の信号のクロストーク等を防止する。
【０００３】
【発明が解決しようとする課題】
ここで上記コネクタにおける板状コンタクトはシールド用として用いられるものであり、且つ列間に配設された各板状コンタクトが独立しているため、各板状コンタクトをそれぞれグラウンド端子に接続する必要がある。このため、上記コネクタの板状コンタクトはそれぞれ外方に突出するリード部を有し、このリード部がプリント基板のグラウンド用スルーホールに挿入されて半田付け接合されるようになっている。
【０００４】
ところが、このようにすると各板状端子にリード部を形成する必要があるばかりでなく、このリード部に対応するプリント基板上の部分にグラウンド用スルーホールを形成する必要があり、プリント基板のパターン形成上での制約が増加するという問題がある。
なお、上記米国特許のコネクタにおいては、２列に並んだコンタクトはハウジングの外側（下面側）から挿入されて取り付けられるのに対し、板状コンタクトはハウジングの内側（上面側）から挿入されて取り付けられるようになっており、コンタクトの取付工数が多いという問題がある。
【０００５】
本発明はこのような問題に鑑みたもので、各コネクタ半体において２列に並んだコンタクトの列間に列方向に延びてグラウンド用等に用いられるコンタクトを設ける場合に、これらグラウンド用等のコンタクトのいずれかをグラウンド端子に接続させるだけで全コンタクトをグラウンド接合させることができるような構成のコネクタを提供することを目的とする。
【０００６】
本発明はさらに、グラウンド用等のコンタクトの一部を取り外してこのコンタクトを複数に分割でき、一部を電源用コンタクトとして用いるとともに残りをグラウンド用コンタクトとして用いることができるような構成のコネクタを提供することを目的とする。
【０００７】
本発明はまた、このように複数に分割したコンタクトの接続部の突出高さを相違させて、コネクタ半体を嵌合させるときに、シーケンシャルな接続を行わせることができるような構成のコネクタを提供することを目的とする。
【０００８】
【課題を解決するための手段および作用】
このような目的達成のため、本発明においては、絶縁ハウジング内に複数の第１コンタクトを幅方向に所定間隔を置いて対向させるとともに長手方向に２列に並べて保持してなる第１コネクタ半体と、絶縁ハウジング内に複数の第２コンタクトを幅方向に所定間隔を置いて対向させるとともに長手方向に２列に並べて保持してなる第２コネクタ半体とからコネクタを構成し、第１コネクタ半体と第２コネクタ半体とを嵌合させて第１コンタクトを対応する第２コンタクトに接続させるようにしている。さらに、第１コネクタ半体は２列に並んだ第１コンタクトの列間に長手方向に並んで位置するとともに所定ピッチ間隔で離間して配設された複数の第３コンタクトを有し、第２コネクタ半体は２列に並んだ第２コンタクトの列間に長手方向に並んで位置するとともに上記所定ピッチ間隔と同一間隔で離間して配設された複数の第４コンタクトを有し、これら第３および第４コンタクトはともに長手方向に延びる平板状のコンタクト部を有して構成される。その上で、第１コネクタ半体と第２コネクタ半体とを嵌合させたときに、第３コンタクトに対して第４コンタクトが長手方向に半ピッチずれて位置し、且つ第３コンタクトのコンタクト部の長手方向両側部がそれぞれ隣に位置する第４コンタクトのコンタクト部の長手方向側部と接触し、第３および第４コンタクトが千鳥状に長手方向に連続して接続されて長手方向に延びる一枚のプレート状のコンタクト連続体として機能するように構成されている。
【０００９】
なお、第３および第４コンタクトはグラウンド用コンタクトとして用いることができ、この場合には、第３および第４コンタクトの少なくとも一つがグラウンド端子に接続されるリード部を有する。
【００１０】
このように両コネクタ半体が嵌合されたときに、第３および第４コンタクトのコンタクト部の両側が互いに千鳥状に接触して一枚のプレート状のコンタクト連続体として機能し、すべての第３および第４コンタクトが長手方向（列方向）に連続して接続されるため、第３および第４コンタクトの少なくともいずれか一つをグラウンド接続させるだけで全ての第３および第４コンタクトをグラウンド接続させることができる。このため、コネクタ半体が取り付けられるプリント基板に形成されるグラウンド端子（グラウンド用スルーホール）の数が少なくなり、且つその位置の設定の自由度が大きく、プリント基板上でのパターン形成が容易である。
【００１１】
また、第３もしくは第４コンクタトの少なくとも一つを取り外し、この取り外した部分により分割して、少なくとも二つの連続して繋がるコンタクト連続体を形成し、一方のコンタクト連続体をグラウンド用として用い、他方のコンタクト連続体を電源用として用いてもよい。
これにより、第３、第４コンタクトをシールド用として用いるとともに電源ラインとしても用いることが可能となる。
【００１２】
このように用いる場合には、第１および第２コンタクトにおける相手コンタクトとの接続部の突出高さがグラウンド用のコンタクト連続体における相手コンタクトとの接続部の突出高さより高く、グラウンド用のコンタクト連続体における相手コンタクトとの接続部の突出高さが、電源用のコンタクト連続体における相手コンタクトとの接続部の突出高さより高いように構成するのが好ましい。
【００１３】
このようにすると、第１および第２コネクタ半体を嵌合させるときに、まず、通常は信号用として用いられる第１および第２コンタクトが接続され、次いで、グラウンド用として用いられるコンタクト連続体が接続され、最後に電源用として用いられるコンタクト連続体が接続され、シークエンシャル接続を行わせることができる。
【００１４】
【実施例】
以下、図面を参照して本発明の好ましい実施例について説明する。
本発明に係るコネクタの一例を図１〜図７に示している。このコネクタは、図１に示すレセプタクルコネクタ１と、図２に示すプラグコネクタ５とから構成され、図４および図５に示すように、レセプタクルコネクタ１がプラグコネクタ５に嵌合して両コネクタが接続されるようになっている。
【００１５】
レセプタクルコネクタ１は、絶縁材料製のレセプタクルハウジング１０により複数のレセプタクルコンタクト２０，２０′と、レセプタクル側センターコンタクト３０，３０′とを図示のように保持して構成される。レセプタクルハウジング１０は、矩形板状の基部１１と、この基部１１の上に矩形箱状に上方に延びて形成された側壁部１２とを有して一体に形成されており、基部１１の上側に側壁部１２により囲まれるとともに上方に開口したレセプタクル側空間１３が形成されている。
【００１６】
レセプタクル空間１３内に位置する部分に、長手方向に延びる３列の貫通孔１５ａ，１５ｂ，１６が基部１１を上下に貫通して形成されている。両側に位置する貫通孔１５ａ，１５ｂにはそれぞれレセプタクルコンタクト２０，２０′が下面側から圧入されて取り付けられており、中央に位置する貫通孔１６にはそれぞれセンターコンタクト３０，３０′が下面側から圧入されて取り付けられている。このように全コンタクトが下面側から圧入されるため、組立性が良好である。側壁部１２の左右内側面には図示のように複数のガイド溝１２ａが左右貫通孔１５ａ，１５ｂに対応して形成されており、これら左右貫通孔１５ａ，１５ｂに圧入されたレセプタクルコンタクト２０，２０′の上部はこれらガイド溝１２ａ内に入り込んでガイドされるようになっている。
【００１７】
レセプタクルコンタクト２０は、レセプタクル側空間１３内に突出してガイド溝１２ａによりガイドされたコンタクト部２１と、左右貫通孔１５ａ，１５ｂ内に圧入される圧入部２２と、この圧入部２２から下方にまっすぐ延びたリード部２３とから構成される。一方、レセプタクルコンタクト２０′は、コンタクト部２１および圧入部２２がレセプタクルコンタクト２０と同一形状であるが、圧入部２２から下方に延びるリード部２４がクランク状に曲げられた後、下方に延びるようになっている（図５参照）。両コンタクト２０，２０′はともに導電材料製で、そのリード部２３，２４の下端部が基板のスルーホールに挿入されて半田付けされてレセプタクルコネクタ１が基板に取り付けられるようになっている。
【００１８】
センターコンタクト３０は、導電材料から板状に形成され、中央貫通孔１６内に圧入保持される圧入部３２と、圧入部３２から上方に突出するコンタクト部３１とからなる。圧入部３２が中央貫通孔１６内に圧入された状態で、コンタクト部３１はレセプタクル側空間１３内に突出し、図１に示すようにレセプタクル側空間１３の中央を所定ピッチｐの間隔をおいて長手方向に一列に並んで延びる。センターコンタクト３０′は中央貫通孔１６のうちの両端の貫通孔１６に圧入されるコンタクトであり、センターコンタクト３０と同形状のコンタクト部３１および圧入部３２に加えて、圧入部３２から下方に延びる各１本のリード部３３を備える。レセプタクルコネクタ１が基板に取り付けられるときに、このリード部３３は基板のスルーホールに挿入されて半田付けされ、このスルーホールを通るパターンを介してグラウンド、電源等に接続される。
【００１９】
プラグコネクタ５は、絶縁材料製のハウジング５０により複数のプラグコンタクト６０，６０′と、プラグ側センターコンタクト７０，７０′とを図示のように保持して構成される。プラグハウジング５０は、矩形板状の基部５１と、この基部５１の上に矩形箱状に上方に延びて形成された外側壁部５２と、この外側壁部５２の内側において基部５１の上に矩形箱状に上方に延びて形成された内側壁部５４とを有して一体に形成されている。このため、基部５１の上面側には、外側壁部５２により囲まれるとともに上方に開口したプラグ外側空間５３と、このプラグ外側空間５３の内部において内側壁部５４に囲まれて上方に開口したプラグ内側空間５５とが形成されている。
【００２０】
プラグ外側空間５３内における内側壁部５４に沿って位置する部分に、２列に並んで基部５１を上下に貫通する左右貫通孔５６ａ，５６ｂが形成されている。また、プラグ内側空間５５内には長手方向に千鳥状に一列に並んで延びる中央貫通孔５７が基部５１を上下に貫通して形成されている。左右貫通孔５６ａ，５６ｂにはそれぞれプラグコンタクト６０，６０′が下面側から圧入されて取り付けられており、中央貫通孔５７にはそれぞれセンターコンタクト７０，７０′が下面側から圧入されて取り付けられている。この場合においても全コンタクトは下面側から圧入されるため、組立性が良い。内側壁部５４の左右外側面には図示のように複数のガイド溝５４ａが左右貫通孔５６ａ，５６ｂに対応して形成されており、左右貫通孔５６ａ，５６ｂに圧入されたプラグコンタクト６０，６０′の上部はこれらガイド溝５４ａ内に入り込んでガイドされる。
【００２１】
プラグコンタクト６０は、プラグ外側空間５３内に突出してガイド溝５４ａによりガイドされたコンタクト部６１と、左右貫通孔５６ａ，５６ｂ内に圧入される圧入部６２と、この圧入部６２から下方にまっすぐ延びたリード部６３とから構成される。一方、プラグコンタクト６０′は、コンタクト部６１および圧入部６２とはプラグコンタクト６０と同一形状であるが、圧入部６２から下方に延びるリード部６４がクランク状に曲げられた後、下方に延びるようになっている（図５参照）。両コンタクト６０，６０′はともに導電材料製で、そのリード部６３，６４の下端部が基板のスルーホールに挿入されて半田付けされる。
【００２２】
プラグ側センターコンタクト７０は、導電材料から板状に形成され、中央貫通孔５７内に圧入保持される圧入部７２と、圧入部７２から上方に突出するコンタクト部７１とからなる。圧入部７２が中央貫通孔５７内に圧入された状態で、コンタクト部７１はプラグ内側空間５５内に突出する。プラグ側センターコンタクト７０′は図３に示すように中央貫通孔５７のうちの両端の貫通孔５７に圧入されるコンタクトであり、センターコンタクト７０と同形状のコンタクト部７１および圧入部７２に加えて、圧入部７２から下方に延びる各１本のリード部７３を備える。プラグコネクタ５が基板に取り付けられるときに、このリード部７３は基板のスルーホールに挿入されて半田付けされ、このスルーホールを通るパターンを介してグラウンド、電源等に接続される。
【００２３】
ここで、プラグ側センターコンタクト７０，７０′のコンタクト部７１は図２に示すように、厚さ方向に非対称形であり、千鳥状に並んで形成された中央貫通孔５７にそれぞれ交互に表裏逆転しながら千鳥状に並ぶように圧入されて取り付けられる。なお、このとき各コンタクト７０，７０′は長手方向にレセプタクル側センターコンタクト３０，３０′のピッチと同一のピッチで並ぶ。
【００２４】
このような構成のレセプタクルコネクタ１とプラグコネクタ５とが図３から図５に示すように、レセプタクルコネクタ１の側壁部１２をプラグコネクタ５のプラグ外側空間５３内に入り込ませて嵌合接続される。その結果、図５に示すように、各レセプタクルコンタクト２０，２０′のコンタクト部２１が、対応するプラグコンタクト６０，６０′のコンタクト部６１と接触してそれぞれ電気接続される。
【００２５】
このとき同時に、レセプタクル側センターコンタクト３０，３０′のコンタクト３１が、プラグコネクタ５の内側空間５５内に突出し、プラグ側およびレセプタクル側センターコンタクト同士が接触して電気的に接続される。ここで、両センターコンタクト３０，３０′および７０，７０′は長手方向に同一所定ピッチで並んでいるのであるが、図４に示すように、両コネクタ１，５が嵌合した状態で互いに半ピッチずれて位置するように配設されている。
【００２６】
このため、例えば、レセプタクル側センターコンタクト３０の右側が右隣のプラグ側センターコンタクト７０と接触し、左側が左隣のプラグ側センターコンタクト７０と接触する。その結果、センターコンタクト３０，３０′および７０，７０′が千鳥状に列方向に連続して接続され、全センターコンタクトが一体に電気接続される。センターコンタクト３０′，７０′はそのリード部３３，７３がそれぞれ基板のスルーホールに挿入されてグラウンド接続されており、全センターコンタクトがグラウンド接続される。このため、この状態でセンターコンタクトがシールド板として作用し、レセプタクルコンタクト２０，２０′およびプラグコンタクト６０，６０′間の信号のクロストーク等を防止する。
【００２７】
なお、この例においては、リード部３３，７３を有するセンターコンタクト３０′，７０′を両端に位置させたが、このセンターコンタクト３０′，７０′の位置は任意に選択可能である。これにより、基板におけるグラウンド接続されるスルーホールの位置の設定の自由度が高くなり、基板の設計が容易となる。また、リード部を有するセンターコンタクト３０′，７０′の数を増やしても良く、これにより、グラウンド接続される位置が増加してセンターコンタクトによるシールド作用を高めることができる。
【００２８】
また、この例において、センターコンタクトのコンタクト部３１，７１の突出高さをレセプタクルおよびプラグコンタクトのコンタクト部２１，６１の突出高さより高くして、レセプタクルコネクタ１とプラグコネクタ５とを嵌合接続させるときに、まずセンターコンタクト同士、すなわち、グラウンド端子同士を接続させ、次いで信号用コンタクト同士を接続させるようにする、すなわち、時差接続させるように構成することも可能である。
【００２９】
次に、本発明の異なる実施例を図８を参照して説明する。
このコネクタは互いに嵌合接続可能なレセプタクルコネクタ１′およびプラグコネクタ５′から構成される。このレセプタクルコネクタ１′およびプラグコネクタ５′は上記実施例に係るレセプタクルコネクタ１およびプラグコネクタ５にその構成が類似しており、同一構成部分には同一番号を付して説明し、同一部分の重複説明は省略する。
【００３０】
このレセプタクルコネクタ１′のレセプタクルハウジング１０およびレセプタクルコンタクト２０，２０′は図１のレセプタクルコネクタ１と同一構成であり、センターコンタクトの形状および配置が以下のように異なるだけである。
１）左右端部の中央貫通孔１６ｂには電源用センターコンタクト１３０がそれぞれ圧入され、
２）左右端から２番目の中央貫通孔１６ａにはセンターコンタクトが圧入されずに空間のままであり、
３）これ以外の中央貫通孔１６ｃにはリード部３３を有したグラウンド用センターコンタクト３３′（図１のレセプタクルコネクタにおいて左右端の中央貫通孔に圧入されるセンターコンタクトと同一形状）が圧入される。
【００３１】
電源用センターコンタクト１３０は中央貫通孔１６ｂに圧入される圧入部１３２から上方に突出するコンタクト部１３１と下方に突出するリード部１３３とを有する。コンタクト部１３１の突出高さはグラウンド用センターコンタクト３０′のコンタクト部３１の突出高さより低くなっている。リード部１３３は基板の電源端子に繋がるスルーホールに挿入される。
【００３２】
一方、プラグコネクタ５′のプラグハウジング５０およびプラグコンタクト６０，６０′は図２のプラグコネクタ５と同一構成であり、ここでもセンターコンタクトの形状および配置が以下のように異なるだけである。
１）左右端部の中央貫通孔５７ａには電源用センターコンタクト１７０がそれぞれ圧入され、
２）これ以外の中央貫通孔５７ｂにはリード部７３を有したグラウンド用センターコンタクト７０′（図２のプラグコネクタにおいて左右端の中央貫通孔に圧入されるセンターコンタクトと同一形状）が圧入される。
【００３３】
電源用センターコンタクト１７０は中央貫通孔５７ａに圧入される圧入部１７２から上方に突出するコンタクト部１７１と下方に突出するリード部１７３とを有する。コンタクト部１７１の突出高さはグラウンド用センターコンタクト７０′のコンタクト部７１の突出高さより低くなっている。リード部１７３は基板の電源端子に繋がるスルーホールに挿入される。
【００３４】
以上の構成のレセプタクルコネクタ１′とプラグコネクタ５′とを結合接続した状態を図８に示している。この状態で、左右端部に位置する電源用センターコンタクト１３１と１７１とが接触して電気接続されるが、レセプタクルコネクタにおける左右端から２番目の中央貫通孔１６ａにはセンターコンタクトがなく空間のままであるので、これら電源用センターコンタクト１３１，１７１はグラウンド用センターコンタクト３０′，７０′からは分離される。
【００３５】
一方、グラウンド用センターコンタクト３０′，７０′は、図１から図７の例のコネクタの場合と同様に千鳥状に列方向に連続して接続され、全グラウンド用センターコンタクトが一体的に電気接続される。そして、これがシールド板として作用する。
このように図８のコネクタの場合には、左右端の電源用センターコンタクトが電源ラインの接続に用いられ、残りのグラウンド用センターコンタクトは電源用センターコンタクトから電気的に分離されるとともにシールド板としての役割を果たす。
【００３６】
なお、この例において、電源用センターコンタクト１３０，１７０のコンタクト部１３１，１７１の突出高さがグラウンド用センターコンタクト３０′，７０′のコンタクト部３１，７１の突出高さより低くなっている。さらに、電源用センターコンタクト１３０，１７０のコンタクト部１３１，１７１の突出高さより、レセプタクルおよびプラグコンタクトのコンタクト部２１，６１の突出高さが低くなっている。このため、レセプタクルコネクタ１′とプラグコネクタ５′とを嵌合接続させるときには、まずグラウンド用センターコンタクトが接続され、次に電源用センターコンタクトが接続され、最後に信号用コンタクト（プラグコンタクトおよびレセプタクルコンタクト）が接続され、時差接続されるようになっている。
【００３７】
また、この例においては、グラウンド用センターコンタクトのすべてにリード部１３３，１７３を設けているが、少なくとも一つのグラウンド用センターコンタクトにリード部を設ければよく、これにより、基板のグラウンド接続されるスルーホール位置の設定自由度が高くなる。
【００３８】
【発明の効果】
以上説明したように、本発明によれば、第１コネクタ半体に第１コンタクトの列間に位置するとともに長手方向（列方向）に延びる複数の第３コンタクト（センターコンタクト）を所定ピッチ間隔で離間して配設し、第２コネクタ半体に第２コンタクトの列間に位置するとともに長手方向（列方向）に延びる複数の第４コンタクト（センターコンタクト）を上記ピッチ間隔と同一間隔で離間して配設し、且つ両コネクタ半体が嵌合させたときに、第３コンタクトに対して第４コンタクトが列方向に半ピッチずれて位置し、各第３コンタクトのコンタクト部はその長手方向両側において左右の第４コンタクトのコンタクト部と互い違いに接触して第３および第４コンタクトが千鳥状に長手方向に連続して一枚のプレート状のコンタクト連続体として機能するように構成されているので、例えば、第３および第４コンタクトの少なくとも一つを基板のグラウンド端子に接続させるだけで、第３および第４コンタクト全体をグラウンド用コンタクトとして用いることができる。このため、コネクタ半体が取り付けられるプリント基板に形成されるグラウンド端子（グラウンド用スルーホール）の数が少なくてよく、且つその位置の設定の自由度が大きく、プリント基板上でのパターン形成が容易になる。
【００３９】
また、第３もしくは第４コンクタトの少なくとも一つを取り外し、この取り外した部分により分割して、少なくとも二つの連続して繋がるコンタクト連続体を形成すれば、一方のコンタクト連続体をグラウンド用として用い、他方のコンタクト連続体を電源用として用いることも可能であり、これにより、第３、第４コンタクトをシールド用として用いるとともに電源ラインとしても用いることが可能となる。
【００４０】
なお、このように用いる場合に、第１および第２コンタクトにおける相手コンタクトとの接続部の突出高さがグラウンド用のコンタクト連続体における相手コンタクトとの接続部の突出高さより高く、グラウンド用のコンタクト連続体における相手コンタクトとの接続部の突出高さが、電源用のコンタクト連続体における相手コンタクトとの接続部の突出高さより高いように構成するのが好ましい。このようにすると、第１および第２コネクタ半体を嵌合させるときに、まず、通常は信号用として用いられる第１および第２コンタクトが接続され、次いで、グラウンド用として用いられるコンタクト連続体が接続され、最後に電源用として用いられるコンタクト連続体が接続され、シークエンシャル接続を行わせることができる。
【図面の簡単な説明】
【図１】本発明に係るレセプタクルコネクタを示す部分断面斜視図である。
【図２】本発明に係るプラグコネクタを示す部分断面斜視図である。
【図３】本発明に係るプラグコネクタとレセプタクルコネクタとを対向させた状態を示す断面図である。
【図４】本発明に係るプラグコネクタとレセプタクルコネクタとを嵌合させた状態を示す正面断面図である。
【図５】本発明に係るプラグコネクタとレセプタクルコネクタとを嵌合させた状態を示す側面断面図である。
【図６】本発明に係るレセプタクルコネクタを示す平面図である。
【図７】本発明に係るプラグコネクタを示す平面図である。
【図８】本発明の異なる例に係るプラグコネクタとレセプタクルコネクタとを嵌合させた状態を示す側面断面図である。
【符号の説明】
１  レセプタクルコネクタ
５  プラグコネクタ
１０  レセプタクルハウジング
２０  レセプタクルコンタクト
３０，７０  センターコンタクト
５０  プラグハウジング
６０  プラグコンタクト
【図１】
0003685210.tif 000002
【図２】
0003685210.tif 000003
【図３】
0003685210.tif 000004
【図４】
0003685210.tif 000005
【図５】
0003685210.tif 000006
【図６】
0003685210.tif 000007
【図７】
0003685210.tif 000008
【図８】
0003685210.tif 000009